(57)【要約】【課題】作動モード時に内容物の直噴動作と噴霧動作とを並行して行なう。【解決手段】並行動作用の出力ピース20を操作釦の通路出力側に取り付ける。出力ピース20は、内容物旋回用溝部26の出力部分の噴霧用孔部22と、当該溝部の流入部分の直噴用孔部12とを有している。出力ピース20の平坦台状部24が操作釦の円柱状部分の側面13ｂに当接した状態で当該操作釦に取り付けられて、この円柱状部分の外周面と、出力ピースの胴部23の内周面との間に内容物通路が設定される。当該通路は直噴用孔部21に直に連通するとともに、旋回用溝部26を介して噴霧用孔部22にも連通する。作動モードのとき、容器本体の内容物は直噴用ルートＡおよび噴霧用ルートＢによって同時に放出される。流れ方向規制部２５に直噴用孔部を形成した出力ピースも開示している。【選択図】図２
2005288221.tif 000002
【特許請求の範囲】
【請求項１】
容器側から送られる内容物の通路部の出力側に、当該通路部と直接連通する直噴用の第１の放出孔部を形成し、
前記通路部の出力側に、当該通路部と直接連通する霧状流生成用の流れ制御部と、当該流れ制御部に続く噴霧用の第２の放出孔部とを形成し、
前記内容物が外部空間に放出される作動モードのときに、前記第１の放出孔部および前記第２の放出孔部が並行して作動する、
ことを特徴とする内容物放出機構。
【請求項２】
前記流れ制御部として、それぞれが前記第２の放出孔部に通じる旋回流生成用の複数の溝部を形成した、
ことを特徴とする請求項１記載の内容物放出機構。
【請求項３】
請求項１または２記載の内容物放出機構を備え、かつ、放出用ガスおよび内容物を収容したエアゾール式製品。
【請求項４】
請求項１または２記載の内容物放出機構を備え、かつ、内容物を収容したポンプ式製品。
【発明の詳細な説明】
【技術分野】
【０００１】
本発明は、作動モード時に、外部空間への容器内容物の直噴動作と噴霧動作とが並行して行なわれる内容物放出機構や、この機構を備えたエアゾール式製品およびポンプ式製品に関する。
【０００２】
容器内容物の対象としては、液状，発泡性（泡状），ペースト状，ジェル状，粉状などの各種性状のものがある。
【０００３】
本発明が適用される製品としては、育毛剤，ヘアスタイリング剤，ヘアトリートメント剤，染毛剤，化粧品，シェービングフォーム，医薬品，医薬部外品，冷却剤，筋肉消炎剤，液滴状のもの（ビタミンなど），塗料，園芸用剤，殺虫剤，クリーナー，消臭剤，ウレタンフォーム，消火器，潤滑剤，洗浄剤，清掃剤，制汗剤，忌避剤（殺虫剤），接着剤，洗濯のりなどの各種用途のものがある。
【０００４】
また、動作形式としては、エアゾール式およびポンプ式の各製品を対象とする。なお、本明細書で用いる「ポンプ式」とは、利用者が、操作部や、容器の一部（周面部分など）などを例えば押圧することにより内容物収納空間の容積が小さくなって、その中の内容物が外部空間に放出される方式を示しており、いわゆる押出式，チューブ式なども含む概念である。
【背景技術】
【０００５】
従来の、容器内容物の放出形態には、
・空間噴霧（空気中に有効成分を霧状の粒子にして浮遊させる）
・表面噴霧（空気噴霧の場合よりも径の大きな粒子を放出する）
・粉末噴出（固体の微粒子を放出する）
・泡沫噴出（泡状にして放出する）
・ストリーム状噴出（ジェット状または棒状にして放出する）
・ペースト状噴出（ペースト状またはジェル状にして放出する）
・液滴放出（液滴状にして放出する）
などの各種のものがある（特許文献１参照）。
【０００６】
また、内容物放出機構の動作切替えにより、異なった放出形態を選択的に設定できるようにしたものもある（特許文献２参照）。
【特許文献１】日本エアゾール協会技術委員会・東洋エアゾール工業株式会社研究部共著，「エアゾール包装技術−その基礎から応用まで−」，第１版，株式会社エアゾール産業新聞社，１９９８年１０月，ｐ１５
【特許文献２】実公平０６−１２８５１号公報
【発明の開示】
【発明が解決しようとする課題】
【０００７】
これら各種の放出形態は、それぞれ放出対象の容器内容物やその用途などの違いに応じて使い分けられている。
【０００８】
本発明は、操作部を例えば押圧した作動モードにおける内容物の出力態様を、このような放出形態の任意の一つとするのではなく、直噴（ストリーム状噴出）と噴霧（空間噴霧，表面噴霧）の各放出状態が並行して生じるといった新たな放出形態とし、これにより内容物放出機構の利便性を高めることを目的とする。
【課題を解決するための手段】
【０００９】
本発明は、以上の課題を次のようにして解決する。
（１）内容物放出機構の、容器側から送られる内容物の通路部（例えば後述の縦通路１１，横通路１２）の出力側に、当該通路部と直接連通する直噴用の第１の放出孔部（例えば後述の直噴用孔部２１，２１′，２１″）を形成し、前記通路部の出力側に、当該通路部と直接連通する霧状流生成用の流れ制御部（例えば後述の流れ方向規制部２５，旋回用溝部２６，中央空間域２７）と、当該流れ制御部に続く噴霧用の第２の放出孔部（例えば後述の噴霧用孔部２２）とを形成し、前記内容物が外部空間に放出される作動モードのときに、前記第１の放出孔部および前記第２の放出孔部を並行して作動させる。
（２）上記（１）において、前記流れ制御部として、それぞれが前記第２の放出孔部に通じる旋回流生成用の複数の溝部（例えば後述の旋回用溝部２６）を形成する。
【００１０】
このような構成からなる内容物放出機構を備え、かつ、放出用ガスおよび内容物を収容したエアゾール式製品や内容物を収容したポンプ式製品も本発明の対象としている。
【発明の効果】
【００１１】
本発明は、内容物の通路部の出力側に、当該通路部と直接連通する直噴用の放出孔部と、霧状流生成用の流れ制御部に続く噴霧用の放出孔部を形成したので、作動モード時に直噴状態および噴霧状態が並行動作して利用者の利便性を向上させることができる。
【発明を実施するための最良の形態】
【００１２】
図１乃至図７を用いて本発明を実施するための最良の形態を説明する。
図１は、作動モード時に容器内容物の直噴状態と霧噴状態とが並行動作する内容物放出機構の説明図，
図２は、図１の内容物放出機構で用いる並行動作用の出力ピースを拡大した説明図，
図３は、図１の内容物放出機構の孔部（直噴用孔部および噴霧用孔部）付近を拡大した説明図，
図４は、図１の内容物放出機構における直噴用孔部の設定位置を変更した場合の説明図，
図５は、並行動作用の出力ピースの内部に中間部材（その１）を設けた内容物放出機構の説明図，
図６は、並行動作用の出力ピースの内部に中間部材（その２）を設けた内容物放出機構の説明図，
図７は、図３の直噴用孔部の長さを延ばし、また外部空間側の噴霧範囲を図１〜図６の場合のそれよりも狭めるための環状起立部を設けた内容物放出機構の説明図，
をそれぞれ示している。
【００１３】
これらの図において、
１０は操作釦，
１１は操作釦１０の内部に形成されて後述のステム３０の下流側となる縦通路，
１２は操作釦１０の内部に形成されて縦通路１１の下流側となる横通路，
１３は横通路１２の出口部分から外部空間側に延びる態様で形成されて後述の並行動作用の出力ピース２０を位置決め・保持するための円柱状部分，１３ａは当該円柱状部分の端面，１３ｂは当該円柱状部分の側面，
２０は全体がいわば鞘形状で操作釦１０（円柱状部分１３）に嵌合保持される並行動作用の出力ピース（その１），
２１は出力ピース２０の後述の旋回用溝部２６の外端側部分（入口部分）に形成された直噴用孔部，
２２は出力ピース２０の底面中央部分に形成された噴霧用孔部，
２３は操作釦１０（円柱状部分１３）と嵌合する筒状の胴部、２３ａは当該胴部に形成した嵌合用の環状突部，
２４は胴部２３の内周面の３ヶ所（周方向）に等間隔で形成されて並行動作用の出力ピース２０を操作釦１０に取り付けるときの位置決め部として作用する平坦台状部，
２５は並行動作用の出力ピース２０の各平坦台状部２４に続く下流側部分に形成されて操作釦１０の横通路１２からの流入内容物を旋回流にするための流れ方向規制部，
２６は流れ方向規制部２５の間に内容物通過用の幅が順次狭くなる態様で設定されて噴霧用孔部２２へと通じる旋回用溝部，
２７は旋回用溝部２６それぞれの出力側に形成されて噴霧用孔部２２を有する旋回流混合用の中央空間域，
３０は操作釦１０が取り付けられるステム，
Ａは直噴ルート，
Ｂは霧噴ルート，
Ｓは並行動作用の出力ピース２０の胴部２３と操作釦１０の円柱状部分１３との間に設定される内容物の通路，
をそれぞれ示している。
【００１４】
また、図４における新たな参照番号の、
２０(2)は並行動作用の出力ピース（その２），
２１′は当該出力ピースの流れ方向規制部２５の端側で胴部２３の内周面に続く部分（平坦台状部２４に対応しない部分）に形成された直噴用孔部，
をそれぞれ示している。直噴用孔部２１とはその形成場所が異なっている。
【００１５】
また、図５における新たな参照番号の、
２０(3)は並行動作用の出力ピース（その３），
４０は操作釦１０の横通路１２の出力部分から噴霧用孔部２２などまでの長さを延ばすための円柱状の中間部材，
２３′は操作釦１０（円柱状部分１３）と嵌合するとともに中間部材４０を保持する筒状の胴部，
をそれぞれ示している。胴部２３′は胴部２３よりも図示左右方向に中間部材３０の分だけ長くなっている。
【００１６】
また、図６における新たな参照番号の、
４０′は中間部材４０の変形例であって操作釦１０の横通路１２の出力部分側における胴部２３′の内周面との間隔を短くした態様の中間部材，４０ａ′は当該間隔を短くするための環状凸部，
をそれぞれ示している。この環状凸部４０ａ′を設けた点で中間部材４０と相違する。
【００１７】
また、図７における新たな参照番号の、
２０(4)は並行動作用の出力ピース（その４），
２１″は直噴用孔部，
５０は噴霧用孔部２２の出力側の漏斗状案内面に続く部分に形成されて内容物の噴霧範囲を狭くするための環状起立部，
をそれぞれ示している。この直噴用孔部は２１″は図１〜図６の直噴用孔部２１，２１′よりも長くなっている。
【００１８】
本発明の内容物放出機構の特徴は、並行動作用の出力ピース２０に直噴用孔部２１および噴霧用孔部２２を設け、作動モード時にこれらを並行作動させることであり、これにより容器内容物を略同時に直噴状態および噴霧状態で外部空間に放出することができる。
【００１９】
図１に示すように、直噴用孔部２１と噴霧用孔部２２が形成された並行動作用の出力ピース２０が操作釦１０の円柱状部分１３に取り付けられている。
【００２０】
操作釦１０の出力部である横通路１２と外部空間との間には、
・通路Ｓ−直噴ルートＡ
・通路Ｓ−霧噴ルートＢ
の二系統の内容物流路が形成されている。
【００２１】
図２に示すように、並行動作用の出力ピース２０は全体が鞘形状であり、その外周面には操作釦１０に嵌合するための環状突部２３ａが設けられている。
【００２２】
また、出力ピース２０の内周面の周方向３ヶ所には、操作釦１０の円柱状部分１３に対する位置決めを行い、かつ当該円柱状部分との間に内容物の通路を形成するための平坦台状部２４が設けられている。
【００２３】
さらに、内部には内容物の流れを渦状にするための流れ方向規制部２５が設けられている。当該流れ方向規制部の間には、中心に向かって狭くなる態様の旋回用溝部２６が個々に形成され、当該旋回用溝部のそれぞれを通過してきた内容物は中央空間域２７で混合渦流となる。
【００２４】
中央空間域２７には噴霧用孔部２２が形成されている。したがって、内容物は渦状になって噴霧用孔部２２に流入し、また当該噴霧用孔部に入るときの流速そのものが旋回用溝部２６の狭間部分を通過することによって速くなっているので、当該噴霧用孔部から放出される内容物は霧状になる。
【００２５】
一方、出力ピース２０の旋回用溝部２６の入口側部分に形成された直噴用孔部２１は、後述のように内容物の通路Ｓ（の一部）の延長線上に存在しており、当該孔部から放出される内容物は直噴状態となる。
【００２６】
並行動作用の出力ピース２０を操作釦１０に取り付ける場合は、当該出力ピースの開口部側を当該操作釦の円柱状部分１３に入れればよい。このとき、出力ピース２０はその平坦台状部２４のそれぞれが円柱状部分１３の側面１３ｂに当接して位置決めされ、またガイドされる。
【００２７】
そして、図３に示すように、出力ピース２０を、その流れ方向規制部２５が操作釦１０の円柱状部分１３の端面１３ａに当接するまで押し込むと、当該出力ピースの胴部２３の内周面側と当該円柱状部分の外周面との間に内容物の通路Ｓが設定される。
【００２８】
この通路Ｓが設定される周方向範囲は、出力ピース２０の内側で平坦台状部２４が形成されていない部分だけではなく、平坦台状部２４の中で円柱状部分１３が当接しない部分もこの周方向範囲に含まれる。なお、平坦台状部２４と円柱状部分１３との当接関係は略線接触の状態となる。通路Ｓは、直噴ルートＡおよび噴霧ルートのいわば共通の上流側通路である。
【００２９】
操作釦１０を押圧した作動モードでは、弁（図示省略）が開いて容器本体（図示省略）の内容物がステム３０，縦通路１１および横通路１２を通過して通路Ｓに流入する。
【００３０】
通路Ｓに流入した内容物は、
・直噴用孔部２１を通る直噴ルートＡによって放出されるとともに、
・各旋回用溝部２６−中央空間域２７−噴霧用孔部２２を通る噴霧ルートＢによって霧状でも放出される。
【００３１】
図４の並行動作用の出力ピース２０(2)の場合、直噴用孔部２１′を流れ方向規制部２５の外端側（胴部２３の側）に形成している。
【００３２】
図５の並行動作用の出力ピース２０(3)の場合、操作釦１０の横通路１２の出力部分から噴霧用孔部２２などまでの長さ、すなわち通路Ｓの長さを延ばすため、円柱状の中間部材４０を内部に嵌合保持し、当該中間部材の分だけ胴部２３′を長くしている。
【００３３】
図６の並行動作用の出力ピース２０(3)の場合、操作釦１０の横通路１２の出力部分側における胴部２３′の内周面との間隔を短くするための環状凸部４０ａ′を設けた、中間部材４０′を保持している。図６の出力ピース自体の形状は図５のそれと同じである。
【００３４】
ここで、環状凸部４０ａ′によって通路Ｓの内容物通過用断面積を絞り込み、そこでの流速を大きくすることにより内容物の直噴性能を高めている。また、当該環状凸部が出力ピース２０(3)の内周面に食い込んだかたちとなるので、中間部材を確実に操作釦に取り付けることができる。
【００３５】
なお、図５および図６の出力ピース２０(3)を操作釦１０の円柱状部分１３に取り付ける場合は、
(a)当該出力ピースに、中間部材４０，４０′を、図示のようにその狭平面側が流れ方向規制部２５へ当接するまで押し込み、
(b)次に、中間部材４０，４０′を組み込んだ形のこの出力ピースの開口部側を操作釦１０の円柱状部分１３に入れればよい。このとき、出力ピース２０(3)はその平坦台状部のそれぞれが円柱状部分１３の側面１３ｂに当接して位置決めされ、またガイドされる。
【００３６】
図７の並行動作用の出力ピース２０(3)の場合、図１〜図６の直噴用孔部２１，２１′よりも長い直噴用孔部２１″を備え、また、図１の出力ピース２０に、噴霧用孔部２２の出力側での内容物の噴霧範囲を狭くするための環状起立部５０を設けた形状になっている。直噴用孔部２１″は環状起立部５０の一部を貫通する形の孔部である。
【００３７】
図４乃至図７におけるその他の構成要素や、直噴および噴霧の並行動作状態の基本的内容は図１のそれと同様である。
【００３８】
なお、出力ピース２０，２０(2)，２０(3)，２０(4)を操作釦１０の円柱状部分１３に取り付けるときのいわば回動角度をどのようにするか、すなわち取り付け後の各出力ピースを正面（直噴対象の外部空間側）からみたときに直噴用孔部２１，２１′，２１″がどの位置に設定されるかは任意である。
【００３９】
操作釦１０，出力ピース２０，２０(2)，２０(3)，２０(4)や中間部材４０，４０′の材質は、例えば、
・アルミニウム，ブリキなどの金属
・ポリエチレンテレフタレート，ポリブチレンテレフタレート，ポリアセタール，ナイロンなどのプラスチック
である。
【００４０】
出力ピース２０，２０(2)，２０(3)，２０(4)を操作釦１０に取り付けた状態での、環状突部２３ａに対する凹状受け部を当該操作釦に積極的に形成してもよい。ここで、出力ピース側の嵌合部を凹状にし、操作釦側の受け部を凸状にしてもよい。
【００４１】
また、上述の旋回用溝部２６の内容物通過用の幅はその入口から出口まで同一でもよい。すなわち内容物通過用の幅が噴霧用孔部２２に向かって順次狭くなる態様にしなくてもよい。
【００４２】
また、旋回用溝部２６に代えて内容物がいわば直進する形の溝部にし、中央空間域２７に相当する部分で内容物の旋回流が生じるようにしてもよい。
【００４３】
以上の内容物放出機構を備えるエアゾール式製品やポンプ式製品の内容物は、例えば、粉状物，油成分，アルコール類，界面活性剤，高分子化合物，各種用途に応じた有効成分などである。
【００４４】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩などおよびこれらの混合物などである。
【００４５】
油成分としては、シリコーン油，パーム油，ユーカリ油，ツバキ油，オリーブ油，ホホバ油，パラフィン油，ミリスチン酸およびパルミチン酸，ステアリン酸，リノール酸，リノレン酸などのグリセリドなどを用いる。
【００４６】
アルコール類としては、エタノールなどの１価の低級アルコール，ラウリルアルコールなどの１価の高級アルコール，エチレングリコールなどの多価アルコールなどを用いる。
【００４７】
界面活性剤としては、ラウリル硫酸ナトリウム等のアニオン性界面活性剤、ポリオキシエチレンオレイルエーテル等の非イオン性界面活性剤、ラウリルジメチルアミノ酢酸ベタイン等の両性界面活性剤、塩化アルキルトリメチルアンモニウム等のカチオン性界面活性剤などを用いる。
【００４８】
高分子化合物としては、メチルセルロース，ゼラチン，デンプン，カゼインなどを用いる。
【００４９】
各種用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００５０】
さらに、上記内容物以外の、懸濁剤，紫外線吸収剤，乳化剤，保湿剤，酸化防止剤、金属イオン封鎖剤なども用いることができる。
【００５１】
内容物放出用のガスとしては、窒素，炭酸ガスなどの圧縮ガス、液化石油ガス，ジメチルエーテル，フロロカーボンなどの液化ガスを用いる。
【図面の簡単な説明】
【００５２】
【図１】本発明の、作動モード時に容器内容物の直噴状態と霧噴状態とが並行動作する内容物放出機構を示す説明図であって、(a)は断面図を示し、(b)は噴出用孔部側の正面図を示している。
【図２】本発明の、図１の内容物放出機構で用いる並行動作用の出力ピースを拡大した説明図である。
【図３】本発明の、図１の内容物放出機構の孔部（直噴用孔部および噴霧用孔部）付近を拡大した説明図である。
【図４】本発明の、図１の内容物放出機構における直噴用孔部の設定位置を変更した場合の説明図である。
【図５】本発明の、並行動作用の出力ピースの内部に中間部材（その１）を設けた内容物放出機構の説明図である。
【図６】本発明の、並行動作用の出力ピースの内部に中間部材（その２）を設けた内容物放出機構の説明図である。
【図７】本発明の、図３の直噴用孔部の長さを延ばし、また外部空間側の噴霧範囲を図１〜図６の場合のそれよりも狭めるための環状起立部を設けた内容物放出機構の説明図である。
【符号の説明】
【００５３】
１０：操作釦
１１：縦通路
１２：横通路
１３：円柱状部分
１３ａ：端面
１３ｂ：側面
２０：並行動作用の出力ピース（その１）
２０(2)〜２０(4)：並行動作用の出力ピース（その２〜その４）
２１，２１′，２１″：直噴用孔部
２２：噴霧用孔部
２３，２３′：筒状の胴部
２３ａ：環状突部
２４：平坦台状部
２５：流れ方向規制部
２６：旋回用溝部
２７：中央空間域
３０：ステム
４０，４０′：中間部材
４０ａ′：環状凸部
５０：環状起立部
Ａ：直噴ルート
Ｂ：霧噴ルート
Ｓ：内容物の通路
【図１】
2005288221.tif 000003
【図２】
2005288221.tif 000004
【図３】
2005288221.tif 000005
【図４】
2005288221.tif 000006
【図５】
2005288221.tif 000007
【図６】
2005288221.tif 000008
【図７】
2005288221.tif 000009